(57)【要約】  ファン及び熱交換器を清潔にする空気調和機を提供する。空気調和機は、室内熱交換器（１５）と、室内ファン（１６）と、室内ファン（１６）を清掃するファン清掃部（２４）と、少なくとも室内ファン（１６）及びファン清掃部（２４）を制御する制御部と、を備える。制御部は、ファン清掃部（２４）による室内ファン（２６）の清掃後、室内熱交換器（１５）を蒸発器として機能させ、室内熱交換器（１５）を凍結又は結露させる。
2019220488.tif 000002
【特許請求の範囲】
【請求項１】
熱交換器と、
ファンと、
前記ファンを清掃するファン清掃部と、
少なくとも前記ファン及び前記ファン清掃部を制御する制御部と、を備え、
前記制御部は、前記ファン清掃部による前記ファンの清掃後、前記熱交換器を蒸発器として機能させ、前記熱交換器を凍結又は結露させる空気調和機。
【請求項２】
前記ファン清掃部による前記ファンの清掃の継続時間は、前記熱交換器の凍結又は結露の継続時間よりも短いこと
を特徴とする請求項１に記載の空気調和機。
【請求項３】
前記制御部は、前記熱交換器の凍結後に当該熱交換器を解凍しているとき、又は、前記熱交換器を結露させているとき、前記ファンを停止状態にすること
を特徴とする請求項１に記載の空気調和機。
【請求項４】
前記制御部は、前記ファン清掃部による前記ファンの清掃に先立って、送風運転を行うか、又は、前記ファンを含む機器を所定時間停止させること
を特徴とする請求項１に記載の空気調和機。
【請求項５】
冷房運転、除湿運転、又は暖房運転の後、前記ファン清掃部による前記ファンの清掃を行う場合、前記制御部は、前記ファン清掃部による前記ファンの清掃に先立って、送風運転を行うか、又は、前記ファンを含む機器を所定時間停止させること
を特徴とする請求項４に記載の空気調和機。
【請求項６】
前記熱交換器に向かう空気から塵埃を捕集するフィルタと、
前記フィルタを清掃するフィルタ清掃部と、を備え、
前記制御部は、前記フィルタ清掃部による前記フィルタの清掃、及び、前記ファン清掃部による前記ファンの清掃を順次に行った後、前記熱交換器を凍結又は結露させること
を特徴とする請求項１に記載の空気調和機。
【請求項７】
前記制御部は、
前記ファンの前回の清掃からの空調運転の実行時間の積算値が第１閾値に達した場合、前記ファン清掃部によって前記ファンの清掃を再び行い、
前記熱交換器の前回の凍結又は結露からの空調運転の実行時間の積算値が、前記第１閾値よりも短い第２閾値に達した場合、前記熱交換器の凍結又は結露を再び行い、
前記ファンの清掃を行うとともに、前記熱交換器の凍結又は結露も行う場合には、前記ファン清掃部による前記ファンの清掃後、前記熱交換器を凍結又は結露させること
を特徴とする請求項１に記載の空気調和機。
【請求項８】
前記制御部は、
前記ファン清掃部による前記ファンの清掃を所定期間内に第１の回数行い、
前記熱交換器の凍結又は結露を前記所定期間内に、前記第１の回数よりも多い第２の回数行い、
前記ファンの清掃を行うとともに、前記熱交換器の凍結又は結露も行う場合には、前記ファン清掃部による前記ファンの清掃後、前記熱交換器を凍結又は結露させること
を特徴とする請求項１に記載の空気調和機。
【請求項９】
前記熱交換器に向かう空気から塵埃を捕集するフィルタと、
前記フィルタを清掃するフィルタ清掃部と、を備え、
前記制御部は、前記ファンを駆動させながら前記フィルタ清掃部による前記フィルタの清掃を行った場合、その次には、前記ファン清掃部による前記ファンの清掃を行わないこと
を特徴とする請求項１に記載の空気調和機。
【請求項１０】
前記制御部は、所定の時間帯には、前記ファン清掃部による前記ファンの清掃を行わず、前記熱交換器の凍結又は結露も行わないこと
を特徴とする請求項１から請求項９のいずれか一項に記載の空気調和機。
【発明の詳細な説明】
【技術分野】
【０００１】
本発明は、空気調和機に関する。
【背景技術】
【０００２】
空気調和機の室内ファンを清掃する技術として、例えば、特許文献１には、「ファンの塵埃を除去するためのファン清掃装置」を備えるものが記載されている。
【先行技術文献】
【特許文献】
【０００３】
【特許文献１】特許第４０４６７５５号公報
【発明の概要】
【発明が解決しようとする課題】
【０００４】
特許文献１には、前記したように、室内ファン（ファン）を清掃するための構成については記載されているが、その一方で、室内熱交換器（熱交換器）を洗浄するための構成については記載されていない。すなわち、室内ファン及び室内熱交換器の両方を清潔な状態にすることが望ましいが、そのような構成について特許文献１には記載されていない。【０００５】
そこで、本発明は、ファン及び熱交換器を清潔にする空気調和機を提供することを課題とする。
【課題を解決するための手段】
【０００６】
前記課題を解決するために、本発明に係る空気調和機は、熱交換器と、ファンと、前記ファンを清掃するファン清掃部と、少なくとも前記ファン及び前記ファン清掃部を制御する制御部と、を備え、前記制御部は、前記ファン清掃部による前記ファンの清掃後、前記熱交換器を蒸発器として機能させ、前記熱交換器を凍結又は結露させることを特徴とする。
【発明の効果】
【０００７】
本発明によれば、ファン及び熱交換器を清潔にする空気調和機を提供できる。
【図面の簡単な説明】
【０００８】
【図１】本発明の第１実施形態に係る空気調和機の構成図である。
【図２】本発明の第１実施形態に係る空気調和機が備える室内機の縦断面図である。
【図３】本発明の第１実施形態に係る空気調和機が備える室内機の一部を切り欠いた斜視図である。
【図４】本発明の第１実施形態に係る空気調和機の機能ブロック図である。
【図５】本発明の第１実施形態に係る空気調和機の制御部が実行する処理のフローチャートである。
【図６Ａ】本発明の第１実施形態に係る空気調和機において、室内ファンの清掃中の状態を示す説明図である。
【図６Ｂ】本発明の第１実施形態に係る空気調和機において、室内熱交換器の解凍中の状態を示す説明図である。
【図７】本発明の第２実施形態に係る空気調和機の制御部が実行する処理のフローチャートである。
【図８】本発明の第２実施形態に係る空気調和機において、圧縮機及び室内ファンの稼動状態に関するタイムチャートである。
【図９】本発明の第３実施形態に係る空気調和機の室内機が備えるフィルタ及びフィルタ清掃部の斜視図である。
【図１０】本発明の第３実施形態に係る空気調和機の制御部が実行する処理のフローチャートである。
【図１１】本発明の第４実施形態に係る空気調和機の室内ファンの清掃、及び室内熱交換器の洗浄に関するタイムチャートである。
【図１２】本発明の第４実施形態に係る空気調和機において、室内ファンの清掃や室内熱交換器の洗浄の頻度を設定する処理のフローチャートである。
【図１３】本発明の第５実施形態に係る空気調和機において、室内ファンの清掃や室内熱交換器の洗浄のキャンセルに関する処理のフローチャートである。
【発明を実施するための形態】
【０００９】
≪第１実施形態≫
＜空気調和機の構成＞
図１は、第１実施形態に係る空気調和機１００の構成図である。
なお、図１の実線矢印は、暖房運転時の冷媒の流れを示している。
一方、図１の破線矢印は、冷房運転時の冷媒の流れを示している。
また、図１では、後記するファン清掃部２４（図２参照）や制御部３０（図４参照）等の図示を省略している。
【００１０】
空気調和機１００は、暖房運転や冷房運転等の空調を行う機器である。図１に示すように、空気調和機１００は、圧縮機１１と、室外熱交換器１２と、室外ファン１３と、膨張弁１４と、を備えている。また、空気調和機１００は、前記した構成の他に、室内熱交換器１５（熱交換器）と、室内ファン１６（ファン）と、四方弁１７と、を備えている。
【００１１】
圧縮機１１は、低温低圧のガス冷媒を圧縮し、高温高圧のガス冷媒として吐出する機器であり、駆動源である圧縮機モータ１１ａを備えている。
室外熱交換器１２は、その伝熱管（図示せず）を通流する冷媒と、室外ファン１３から送り込まれる外気と、の間で熱交換が行われる熱交換器である。
【００１２】
室外ファン１３は、室外熱交換器１２に外気を送り込むファンである。室外ファン１３は、駆動源である室外ファンモータ１３ａを備え、室外熱交換器１２の付近に配置されている。
膨張弁１４は、「凝縮器」（室外熱交換器１２及び室内熱交換器１５の一方）で凝縮した冷媒を減圧する弁である。なお、膨張弁１４で減圧された冷媒は、「蒸発器」（室外熱交換器１２及び室内熱交換器１５の他方）に導かれる。
【００１３】
室内熱交換器１５は、その伝熱管ｇ（図２参照）を通流する冷媒と、室内ファン１６から送り込まれる室内空気（空調対象空間の空気）と、の間で熱交換が行われる熱交換器である。
室内ファン１６は、室内熱交換器１５に室内空気を送り込むファンである。室内ファン１６は、駆動源である室内ファンモータ１６ｃ（図４参照）を有し、室内熱交換器１５の付近に配置されている。
【００１４】
四方弁１７は、空気調和機１００の運転モードに応じて、冷媒の流路を切り替える弁である。例えば、冷房運転時（図１の破線矢印を参照）には、圧縮機１１、室外熱交換器１２（凝縮器）、膨張弁１４、及び室内熱交換器１５（蒸発器）が、四方弁１７を介して順次に接続されてなる冷媒回路Ｑにおいて、冷凍サイクルで冷媒が循環する。
【００１５】
一方、暖房運転時（図１の実線矢印を参照）には、圧縮機１１、室内熱交換器１５（凝縮器）、膨張弁１４、及び室外熱交換器１２（蒸発器）が、四方弁１７を介して順次に接続されてなる冷媒回路Ｑにおいて、冷凍サイクルで冷媒が循環する。
【００１６】
すなわち、圧縮機１１、「凝縮器」、膨張弁１４、及び「蒸発器」を順次に介して冷媒が循環する冷媒回路Ｑにおいて、前記した「凝縮器」及び「蒸発器」の一方は室外熱交換器１２であり、他方は室内熱交換器１５である。
【００１７】
なお、図１に示す例では、圧縮機１１、室外熱交換器１２、室外ファン１３、膨張弁１４、及び四方弁１７が、室外機Ｕｏに設置されている。一方、室内熱交換器１５及び室内ファン１６は、室内機Ｕｉに設置されている。
【００１８】
図２は、室内機Ｕｉの縦断面図である。
なお、図２では、ファン清掃部２４による室内ファン１６の清掃が行われていない状態を図示している。
室内機Ｕｉは、前記した室内熱交換器１５や室内ファン１６の他に、露受皿１８と、筐体ベース１９と、フィルタ２０ａ，２０ｂと、前面パネル２１と、左右風向板２２と、上下風向板２３と、ファン清掃部２４と、を備えている。
【００１９】
室内熱交換器１５は、複数のフィンｆと、それらのフィンｆを貫通する複数の伝熱管ｇと、を備えている。また、別の観点から説明すると、室内熱交換器１５は、室内ファン１６の前側に配置された前側室内熱交換器１５ａと、室内ファン１６の後側に配置された後側室内熱交換器１５ｂと、を備えている。図２に示すように、前側室内熱交換器１５ａの上端部と、後側室内熱交換器１５ｂの上端部と、は逆Ｖ状に接続されている。
【００２０】
室内ファン１６は、例えば、円筒状のクロスフローファンであり、室内熱交換器１５の付近に配置されている。室内ファン１６は、複数のファンブレード１６ａと、これらのファンブレード１６ａが設置される仕切板１６ｂと、駆動源である室内ファンモータ１６ｃ（図４参照）と、を備えている。
【００２１】
露受皿１８は、室内熱交換器１５の凝縮水を受けるものであり、室内熱交換器１５（図２に示す例では、前側室内熱交換器１５ａ）の下側に配置されている。
筐体ベース１９は、室内熱交換器１５や室内ファン１６等の機器が設置される筐体である。
【００２２】
フィルタ２０ａ，２０ｂは、室内ファン１６の駆動に伴って室内熱交換器１５に向かう空気から塵埃を捕集するものである。一方のフィルタ２０ａは室内熱交換器１５の前側に配置され、他方のフィルタ２０ｂは室内熱交換器１５の上側に配置されている。
前面パネル２１は、前側のフィルタ２０ａを覆うように設置されるパネルであり、下端を軸として前側に回動可能になっている。なお、前面パネル２１が回動しない構成であってもよい。
【００２３】
左右風向板２２は、室内ファン１６の回転に伴って室内に吹き出される空気の左右方向の流れを調整する板状部材である。左右風向板２２は、吹出風路ｈ３に配置され、左右風向板用モータ２５（図４参照）によって左右方向に回動するようになっている。
【００２４】
上下風向板２３は、室内ファン１６の回転に伴って室内に吹き出される空気の上下方向の流れを調整する板状部材である。上下風向板２３は、空気吹出口ｈ４の付近に配置され、上下風向板用モータ２６（図４参照）によって上下方向に回動するようになっている。
【００２５】
空気吸込口ｈ１，ｈ２を介して吸い込まれた空気は、室内熱交換器１５の伝熱管ｇを通流する冷媒と熱交換し、熱交換した空気が吹出風路ｈ３に導かれる。この吹出風路ｈ３を通流する空気は、左右風向板２２及び上下風向板２３によって所定方向に導かれ、さらに、空気吹出口ｈ４を介して室内に吹き出される。
【００２６】
なお、空気の流れに伴って空気吸込口ｈ１，ｈ２に向かう塵埃の多くは、フィルタ２０ａ，２０ｂで捕集される。しかしながら、細かい塵埃がフィルタ２０ａ，２０ｂを通り抜けて、室内熱交換器１５や室内ファン１６に付着することがある。したがって、室内熱交換器１５や室内ファン１６を定期的に清掃することが望ましい。そこで、本実施形態では、ファン清掃部２４による室内ファン１６の清掃後、室内熱交換器１５の洗浄を行うようにしている。
【００２７】
図２に示すファン清掃部２４は、室内ファン１６を清掃するものであり、室内熱交換器１５と室内ファン１６との間に配置されている。より詳しく説明すると、縦断面視で＜字状を呈する前側室内熱交換器１５ａの凹部ｒにファン清掃部２４が配置されている。
【００２８】
図３は、室内機Ｕｉの一部を切り欠いた斜視図である。
ファン清掃部２４は、図３に示す軸部２４ａ及びブラシ２４ｂの他に、ファン清掃用モータ２４ｃ（図４参照）を備えている。軸部２４ａは、室内ファン１６の軸方向に平行な棒状の部材であり、その両端付近が軸支されている。
【００２９】
ブラシ２４ｂは、ファンブレード１６ａに付着した塵埃を除去するものであり、軸部２４ａに設置されている。ファン清掃用モータ２４ｃ（図４参照）は、例えば、ステッピングモータであり、軸部２４ａを所定角度だけ回転させる機能を有している。
【００３０】
室内ファン１６の清掃時には、室内ファン１６にブラシ２４ｂが接触するように軸部２４ａ及びブラシ２４ｂが回動された後、室内ファン１６が逆回転する（図６Ａ参照）。そして、室内ファン１６の清掃が終了すると、ブラシ２４ｂが室内ファン１６から離れるように軸部２４ａ及びブラシ２４ｂが回動される（図２参照）。
【００３１】
なお、ファン清掃部２４が室内ファン１６から離れた状態において、図２に示すように、ブラシ２４ｂの先端付近が室内熱交換器１５に接触していることが好ましい。後記する室内熱交換器１５の洗浄によって、室内熱交換器１５とともにブラシ２４ｂの塵埃も洗い流されるからである。
【００３２】
図４は、空気調和機１００の機能ブロック図である。
図４に示す室内機Ｕｉは、前記した構成の他に、リモコン送受信部２７と、室内制御回路３１と、を備えている。
リモコン送受信部２７は、赤外線通信等によって、リモコン４０との間で所定の情報をやり取りする。
【００３３】
室内制御回路３１は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。
【００３４】
図４に示すように、室内制御回路３１は、記憶部３１ａと、室内制御部３１ｂと、を備えている。
記憶部３１ａには、所定のプログラムの他、リモコン送受信部２７を介して受信したデータや、各種センサ（図示せず）の検出値等が記憶される。
室内制御部３１ｂは、記憶部３１ａに記憶されたデータに基づいて、ファン清掃用モータ２４ｃ、室内ファンモータ１６ｃ、左右風向板用モータ２５、上下風向板用モータ２６等を制御する。
【００３５】
室外機Ｕｏは、前記した構成の他に、室外制御回路３２を備えている。室外制御回路３２は、図示はしないが、ＣＰＵ、ＲＯＭ、ＲＡＭ、各種インタフェース等の電子回路を含んで構成され、通信線を介して室内制御回路３１に接続されている。図４に示すように、室外制御回路３２は、記憶部３２ａと、室外制御部３２ｂと、を備えている。
【００３６】
記憶部３２ａには、所定のプログラムの他、室内制御回路３１から受信したデータ等が記憶される。室外制御部３２ｂは、記憶部３２ａに記憶されたデータに基づいて、圧縮機モータ１１ａ、室外ファンモータ１３ａ、膨張弁１４等を制御する。以下では、室内制御回路３１及び室外制御回路３２を一括して「制御部３０」という。
【００３７】
図５は、制御部３０が実行する処理のフローチャートである。
なお、図５の「ＳＴＡＲＴ」時には空調運転が行われておらず、また、ブラシ２４ｂの先端が前側室内熱交換器１５ａに臨んだ状態（図２に示す状態）であるものとする。
【００３８】
図５のステップＳ１０１において制御部３０は、ファン清掃部２４によって、室内ファン１６を清掃する。なお、室内ファン１６の清掃を開始するトリガとして、例えば、前回清掃時からの空調運転の積算時間が所定時間に達するという条件が挙げられる。
【００３９】
図６Ａは、室内ファン１６の清掃中の状態を示す説明図である。
なお、図６Ａでは、室内熱交換器１５、室内ファン１６、及び露受皿１８を図示し、他の構成については図示を省略している。
室内ファン１６の清掃を行うに際して、制御部３０は、軸部２４ａを中心にブラシ２４ｂを回動させ、ブラシ２４ｂの先端が室内ファン１６に臨むようにする。これによって、室内ファン１６のファンブレード１６ａにブラシ２４ｂが接触する。そして、制御部３０は、通常の空調運転時とは逆向きに室内ファン１６を回転させる。
【００４０】
このように室内ファン１６が逆回転すると、ファンブレード１６ａの移動に伴ってブラシ２４ｂがたわみ、ファンブレード１６ａの背面をなでるようにブラシ２４ｂが押し付けられる。そして、ファンブレード１６ａに付着していた塵埃がブラシ２４ｂによって掻き落とされる。
【００４１】
室内ファン１６から掻き落とされた塵埃ｊは、図６Ａに示すように、前側室内熱交換器１５ａと室内ファン１６との間の隙間を介して、露受皿１８に導かれる。これによって、次回の空調運転中に塵埃ｊが室内に吹き出されることを防止できる。
なお、室内ファン１６から掻き落とされた塵埃ｊの一部が露受皿１８に落下せずに、前側室内熱交換器１５ａに付着する可能性もある。このように前側室内熱交換器１５ａに付着した塵埃ｊは、後記するステップＳ１０２において、室内熱交換器１５の解凍に伴う水で洗い流される。
【００４２】
ステップＳ１０１の処理が終わった後に制御部３０は、図５では省略したが、ファン清掃部２４を移動させ、ブラシ２４ｂを室内ファン１６から離す。すなわち、制御部３０は、軸部２４ａを中心にブラシ２４ｂを回動させ、ブラシ２４ｂの先端が室内熱交換器１５に臨むようにする（図６Ｂ図参照）。これによって、その後に室内ファン１６が駆動したときの騒音を抑制できる。
【００４３】
ステップＳ１０２において制御部３０は、室内熱交換器１５の凍結・解凍を順次に行う。まず、制御部３０は、ファン清掃部２４による室内ファン１６の清掃後、室内熱交換器１５を蒸発器として機能させ、室内熱交換器１５を凍結させる。
【００４４】
例えば、制御部３０は、膨張弁１４（図１参照）の開度を冷房運転時よりも小さくすることによって、低圧で蒸発温度の低い冷媒を室内熱交換器１５に流入させる。これによって、空気中の水分が室内熱交換器１５で着霜しやすくなり、また、その霜や氷（図６Ｂに示す符号ｉ）が成長しやすくなる。したがって、その後の解凍中、室内熱交換器１５を多量の水で洗い流すことができる。
【００４５】
なお、ファン清掃部２４による室内ファン１６の清掃の継続時間は、室内熱交換器１５の凍結の継続時間（凍結のための圧縮機１１の駆動開始から停止までの時間）よりも短いことが好ましい。これによって、室内熱交換器１５の凍結の継続時間を十分に確保し、室内熱交換器１５に多量の霜や氷を付着させることができる。また、室内ファン１６の清掃において、制御部３０が室内ファンモータ１６ｃ（図４参照）を無駄に長く駆動しないため、ブラシ２４ｂの磨耗を抑制できる。
【００４６】
このようにして室内熱交換器１５を凍結（図５のＳ１０２）させた後、制御部３０は、室内熱交換器１５を解凍する（Ｓ１０２）。例えば、制御部３０は、室内熱交換器１５の凍結後に、この室内熱交換器１５を解凍しているとき、室内ファン１６を含む機器（圧縮機１１等）を停止状態にする。これによって、室内熱交換器１５が室温で自然解凍される。前記したように、室内ファン１６は停止状態であるため、その解凍に伴う水滴が空気ととともに室内に飛び出すおそれはない。
【００４７】
図６Ｂは、室内熱交換器１５の解凍中の状態を示す説明図である。
室内熱交換器１５が解凍されることで、室内熱交換器１５の霜や氷が溶け、フィンｆを伝って露受皿１８に多量の水ｗが流れ落ちる。これによって、空調運転中に室内熱交換器１５に付着した塵埃ｊを洗い流すことができる。また、室内熱交換器１５に接触した状態のブラシ２４ｂも一緒に洗浄される。
【００４８】
さらに、室内ファン１６の清掃に伴って前側室内熱交換器１５ａに付着した塵埃ｊも一緒に洗い流され、露受皿１８に流れ落ちる（図６Ｂの矢印を参照）。このようにして露受皿１８に流れ落ちた水ｗは、塵埃ｊとともにドレンホース（図示せず）を介して外部に排出される。
【００４９】
なお、図５では省略しているが、室内熱交換器１５の凍結・解凍（Ｓ１０２）の後、制御部３０が暖房運転又は送風運転を行うことで、室内機Ｕｉの内部を乾燥させてもよい。これによって、室内熱交換器１５等における菌の繁殖を抑制できる。
【００５０】
＜効果＞
本実施形態によれば、ファン清掃部２４によって室内ファン１６が清掃された後（図５のＳ１０１）、室内熱交換器１５の凍結・解凍が行われる（Ｓ１０２）。これによって、室内ファン１６及び室内熱交換器１５の両方が清潔な状態になる。したがって、室内熱交換器１５や室内ファン１６の清掃に要するユーザの手間やメンテナンス時の出費を従来よりも削減できる。
【００５１】
なお、室内ファン１６の清掃（図５のＳ１０１）と、室内熱交換器１５の凍結・解凍（Ｓ１０２）と、の順序を逆にすると、次のような事態が生じ得る。すなわち、室内熱交換器１５の凍結に伴って、室内機Ｕｉの内部が冷え込むため、空気に含まれていた水蒸気が凝縮し、室内ファン１６の表面に水分が付着する。その後に室内ファン１６の清掃が行われると、室内ファン１６の表面の水分が塵埃とともにブラシ２４ｂで掻き混ぜられるため、塵埃がとれにくくなる。その結果、室内ファン１６の塵埃がブラシ２４ｂで掻き落とされにくくなり、塵埃同士でくっついた状態で室内ファン１６に残る可能性がある。
【００５２】
これに対して本実施形態によれば、前記したように、室内熱交換器１５の凍結・解凍（図５：Ｓ１０２）に先立って、室内ファン１６の清掃が行われる（Ｓ１０１）。これによって、室内ファン１６が比較的乾燥した状態でファン清掃部２４が清掃されるため、室内ファン１６に付着した塵埃をブラシ２４ｂで適切に掻き落とすことができる。
【００５３】
≪第１実施形態の変形例≫
第１実施形態では、室内熱交換器１５の凍結・解凍（図５のＳ１０２）によって、室内熱交換器１５を洗浄する処理について説明したが、これに限らない。すなわち、制御部３０が、ファン清掃部２４による室内ファン１６の清掃後、室内熱交換器１５を蒸発器として機能させ、室内熱交換器１５を結露させてもよい。例えば、制御部３０は、室内空気の温度及び相対湿度に基づいて、室内空気の露点を算出する。そして、制御部３０は、室内熱交換器１５の温度が、前記した露点以下であり、かつ、所定の凍結温度よりも高くなるように、膨張弁１４（図１参照）の開度等を制御する。
【００５４】
前記した「凍結温度」とは、室内空気の温度を低下させたとき、室内空気に含まれる水分が室内熱交換器１５で凍結し始める温度である。このように室内熱交換器１５を結露させることによって、その結露水で室内熱交換器１５の塵埃を洗い流すことができる。
【００５５】
なお、ファン清掃部２４による室内ファン１６の清掃の継続時間は、室内熱交換器１５の結露の継続時間（結露のための圧縮機１１の駆動開始から停止までの時間）よりも短いことが好ましい。これによって、十分な量の結露水で室内熱交換器１５が洗い流される。
また、室内熱交換器１５を結露させているとき、制御部３０が、室内ファン１６を停止状態にすることが好ましい。これによって、結露水が空気とともに室内に飛び出すことを防止できる。
【００５６】
また、例えば、室内熱交換器１５の凍結・解凍による洗浄を行った場合、次回は室内熱交換器１５の結露による洗浄を行うようにしてもよい。つまり、室内熱交換器１５の凍結・解凍による洗浄と、室内熱交換器１５の結露による洗浄と、を交互に行うようにしてもよい。
【００５７】
≪第２実施形態≫
第２実施形態は、空調運転後に室内ファン１６の清掃を行う場合、この清掃に先立って送風運転が行われる点が、第１実施形態とは異なっている。なお、その他（空気調和機１００の構成等：図１〜図４参照）については、第１実施形態と同様である。したがって、第１実施形態とは異なる部分について説明し、重複する部分については説明を省略する。
【００５８】
図７は、第２実施形態に係る空気調和機の制御部３０が実行する処理のフローチャートである（適宜、図２を参照）。
ステップＳ２０１において制御部３０は、リモコン４０（図４参照）からの運転指令に応じて、所定の空調運転を実行する。このような空調運転として、冷房運転や暖房運転の他、除湿運転等が挙げられる。そして、リモコン４０からの停止指令に応じて、空調運転を停止させた後、制御部３０の処理はステップＳ２０２に進む。なお、空調運転の停止時には、室内ファン１６の清掃（Ｓ２０３）や室内熱交換器１５の洗浄（Ｓ２０４）を行うための所定の条件が満たされているものとする。
【００５９】
ステップＳ２０２において制御部３０は、送風運転を実行する。なお、ステップＳ２０２の送風運転中、制御部３０は上下風向板２３を閉じた状態にするか、又は、水平よりも上向きにし、室内ファン１６を通常の空調運転時よりも低速で駆動することが好ましい。これによって、リモコン４０（図４参照）からの停止指令後の送風運転中、室内ファン１６の駆動音が抑制されるため、ユーザの不快感や違和感が低減される。
そして、ステップＳ２０２の送風運転を所定時間行った後、制御部３０の処理はステップＳ２０３に進む。
【００６０】
ステップＳ２０３，Ｓ２０４の処理は、第１実施形態で説明したステップＳ１０１，Ｓ１０２（図５参照）の処理と同様である。すなわち、冷房運転、除湿運転、又は暖房運転の後（Ｓ２０１）、ファン清掃部２４による室内ファン１６の清掃を行う場合（Ｓ２０３）、制御部３０は、ファン清掃部２４による室内ファン１６の清掃に先立って、送風運転を行う（Ｓ２０２）。
【００６１】
例えば、冷房運転や除湿運転（Ｓ２０１）の直後は、室内熱交換器１５が冷えているため、場合によっては、その付近の室内ファン１６に結露して水分が付着する可能性がある。そこで、第２実施形態では、室内ファン１６の清掃に先立って、制御部３０が送風運転を行い（Ｓ２０２）、室内ファン１６を乾燥させるようにしている。これによって、室内ファン１６の清掃中、乾燥した状態の室内ファン１６にブラシ２４ｂが接触するため、室内ファン１６の塵埃を適切に掻き落とすことができる。
【００６２】
また、暖房運転（Ｓ２０１）の直後は、室内熱交換器１５が高温であるため、その付近の室内ファン１６も高温になっている。仮に、このような状態でブラシ２４ｂが室内ファン１６に接触すると、樹脂製であるブラシ２４ｂの毛が熱で柔らかくなって癖がついたり、傷んだりする可能性がある。そこで、第２実施形態では、室内ファン１６の清掃に先立って、制御部３０が送風運転を行い（Ｓ２０２）、室内ファン１６を常温（ブラシ２４ｂの接触に問題がない程度の温度）に戻すようにしている。このようにして室内ファン１６の清掃（Ｓ２０３）を行った後、制御部３０は、室内熱交換器１５の凍結・解凍を行う（Ｓ２０４）。
次に、図７のステップＳ２０１〜Ｓ２０４の処理における圧縮機１１及び室内ファン１６の稼動状態について説明する。
【００６３】
図８は、圧縮機１１及び室内ファン１６の稼動状態に関するタイムチャートである（適宜、図２を参照）。
なお、図８に示す「ＯＮ」は圧縮機１１等が稼動していることを示し、「ＯＦＦ」は圧縮機１１等が停止していることを示している。また、図８の横軸は、時刻である。
【００６４】
図８に示す例では、空調運転（時刻ｔ１まで）、各機器の停止状態（時刻ｔ１〜ｔ２）、送風運転（時刻ｔ２〜ｔ３）、各機器の停止状態（時刻ｔ３〜ｔ４）、及び室内ファン１６の清掃（時刻ｔ４〜ｔ５）が順次に行われている。なお、空調運転の直後に送風運転が行われてもよい。
【００６５】
例えば、空調運転の一つである暖房運転後（図７のＳ２０１）に室内熱交換器１５を凍結させる場合（Ｓ２０４）、冷媒の循環する向きが暖房運転時とは逆になる。このように冷媒が循環する向きを変える際には、冷凍サイクルの安定化を図るために所定時間、圧縮機１１を停止状態（ＯＦＦ）にすることが望ましい。
【００６６】
第２実施形態では、前記したように、空調運転（Ｓ２０１）の停止後、送風運転（Ｓ２０２）及び室内ファン１６の清掃（Ｓ２０３）が順次に行われた後、室内熱交換器１５の凍結等（Ｓ２０４）が行われる。ここで、送風運転中や室内ファン１６の清掃中は圧縮機１１が停止状態であるため、この時間（図８に示す時刻ｔ１〜ｔ５）を冷凍サイクルの安定化のための時間として活用できる。つまり、空調運転後、室内熱交換器１５の凍結が開始されるまでの時間を無駄なく活用できる。
【００６７】
＜効果＞
第２実施形態によれば、空調運転後に室内ファン１６を清掃する場合、制御部３０は、送風運転（図７のＳ２０２）を行ってから、室内ファン１６を清掃する（Ｓ２０３）。このように室内ファン１６の清掃に先立って送風運転を行うことで、室内ファン１６を乾燥させたり、常温に戻したりすることができる。したがって、その後の室内ファン１６の清掃を適切に行うことができる。
【００６８】
また、前記したように、送風運転中や室内ファン１６の清掃中は圧縮機１１が停止しているため（図８参照）、その時間を冷凍サイクルの安定化のための時間として活用できる。したがって、空調運転の停止時から、室内熱交換器１５の凍結・解凍の終了時までの時間を短縮できる。
【００６９】
≪第３実施形態≫
第３実施形態は、フィルタ２０ａ，２０ｂの清掃を行うフィルタ清掃部２８（図９参照）が設けられている点が、第１実施形態とは異なっている。また、制御部３０が、フィルタ２０ａ，２０ｂの清掃後に室内ファン１６の清掃等を行う点が、第１実施形態とは異なっている。なお、その他については第１実施形態と同様である。したがって、第１実施形態とは異なる部分について説明し、重複する部分については説明を省略する。
【００７０】
図９は、室内機Ｕｉが備えるフィルタ２０ａ，２０ｂ及びフィルタ清掃部２８の斜視図である。
室内機Ｕｉは、フィルタ２０ａ，２０ｂを清掃する可動式のフィルタ清掃部２８を備えている。図９に示すフィルタ清掃部２８は、枠体２８ａと、フィルタ清掃用ブラシ２８ｂと、フィルタ清掃用モータ（図示せず）と、を有している。
【００７１】
枠体２８ａは、逆Ｌ字状を呈し、フィルタ２０ａ，２０ｂの外側に配置されている。そして、フィルタ清掃用モータ（図示せず）の駆動によって、枠体２８ａが左右方向に移動するようになっている。フィルタ清掃用ブラシ２８ｂは、フィルタ２０ａ，２０ｂに付着した塵埃を掻き取るためのブラシであり、枠体２８ａに設置されている。
【００７２】
図１０は、制御部３０が実行する処理のフローチャートである（適宜、図２、図４を参照）。
ステップＳ３０１において制御部３０は、フィルタ２０ａ，２０ｂの清掃を行う。すなわち、制御部３０は、フィルタ清掃部２８（図９参照）を左右方向に移動させ、フィルタ２０ａ，２０ｂに付着している塵埃を除去する。
【００７３】
なお、フィルタ２０ａ，２０ｂの清掃中、制御部３０が室内ファン１６を駆動させてもよい。これによって、フィルタ清掃部２８によって塵埃が掻き取られる際、その塵埃が室内機Ｕｉの外側に散り落ちることを防止できる。また、室内ファン１６の清掃（Ｓ３０２）に先立って、制御部３０が室内ファン１６を駆動させることで、室内ファン１６が乾燥し、また、室内ファン１６の温度が常温に近づく。これによって、ファン清掃部２４のブラシ２４ｂを傷めることなく、室内ファン１６の清掃を適切に行うことができる。
【００７４】
次のステップＳ３０２，Ｓ３０３の処理は、第１実施形態で説明したステップＳ１０１，Ｓ１０２（図５参照）の処理と同様である。すなわち、制御部３０は、フィルタ清掃部２８によるフィルタ２０ａ，２０ｂの清掃（Ｓ３０１）、及び、ファン清掃部２４による室内ファン１６の清掃（Ｓ３０２）を順次に行った後、室内熱交換器１５を凍結（又は結露）させる（Ｓ３０３）。
【００７５】
＜効果＞
第３実施形態によれば、フィルタ清掃部２８によって掻き取られた塵埃の一部が、フィルタ２０ａ，２０ｂの隙間を介して室内熱交換器１５に落下しても、その後の室内熱交換器１５の凍結・解凍（Ｓ３０３）によって、塵埃を洗い流すことができる。また、フィルタ２０ａ，２０ｂの清掃に要する時間や、室内ファン１６の清掃に要する時間を、冷凍サイクルの安定化のための活用できる。
【００７６】
≪第４実施形態≫
第４実施形態は、室内ファン１６の清掃よりも室内熱交換器１５の洗浄が高頻度で行われる点が（図１１参照）、第１実施形態とは異なっている。また、リモコン４０（図４参照）の操作によって、前記した頻度をユーザが変更可能である点が、第１実施形態とは異なっている。なお、その他（空気調和機１００の構成等：図１〜図４参照）については、第１実施形態と同様である。したがって、第１実施形態とは異なる部分について説明し、重複する部分については説明を省略する。
【００７７】
図１１は、室内ファン１６の清掃、及び室内熱交換器１５の洗浄に関するタイムチャートである（適宜、図２、図４を参照）。
図１１において「室内ファンの清掃」の斜線部分は、室内ファン１６の清掃が行われた時間帯を示している。また、「室内熱交換器の洗浄」の斜線部分は、室内熱交換器１５の洗浄（凍結・解凍など）が行われた時間帯を示している。
また、図１１に示す例では、室内ファン１６の清掃、及び室内熱交換器１５の洗浄のいずれも行われていないときには、所定の空調運転が継続されていたものとする。
【００７８】
制御部３０は、室内ファン１６の前回の清掃からの空調運転の実行時間の積算値が第１閾値ΔＴ１に達した場合、ファン清掃部２４によって室内ファン１６の清掃を再び行う。
また、制御部３０は、室内熱交換器１５の前回の凍結（又は結露）からの空調運転の実行時間の積算値が、第１閾値ΔＴ１よりも短い第２閾値ΔＴ２に達した場合、室内熱交換器１５の凍結（又は結露）を再び行う。
【００７９】
このように制御部３０は、室内ファン１６の清掃よりも室内熱交換器１５の洗浄を高頻度で行う。これによって、室内ファン１６よりも塵埃が付着しやすい室内熱交換器１５を適切に洗浄できる。また、室内ファン１６の清掃がそれほど高頻度では行われないため、ファン清掃部２４のブラシ２４ｂの磨耗を抑制できる。
【００８０】
なお、図１１に示す第１閾値ΔＴ１及び第２閾値ΔＴ２は予め設定されているが、後記するように、ユーザによるリモコン４０（図４参照）の操作によって変更可能である。
また、室内ファン１６の清掃が行われていないとき、実際には、所定の空調運転が行われたり、その空調運転が停止されたりする。この停止中の時間を除外した上で、制御部３０は、空調運転の実行時間を積算する（実行時間の和を逐次に算出する）。なお、室内熱交換器１５の洗浄についても同様である。
【００８１】
また、制御部３０は、室内ファン１６の清掃を行うとともに、室内熱交換器１５の凍結（又は結露）も行う場合には、ファン清掃部２４による室内ファン１６の清掃後、室内熱交換器１５を凍結（又は結露）させる。これによって、室内ファン１６の表面が比較的乾燥した状態で、その清掃を行うことができる。また、室内ファン１６の清掃に伴って室内熱交換器１５に塵埃が新たに付着しても、その後に室内熱交換器１５が凍結・解凍されるため、前記した塵埃が洗い流される。
【００８２】
次に、前記した第１閾値ΔＴ１（図１１参照）や第２閾値ΔＴ２（同図参照）のユーザによる設定変更について、図１２を用いて説明する。
【００８３】
図１２は、室内ファン１６の清掃や室内熱交換器１５の洗浄の頻度を設定する処理のフローチャートである。
ステップＳ４０１において制御部３０は、室内ファン１６の清掃の頻度を示す第１閾値ΔＴ１、及び、室内熱交換器１５の洗浄の頻度を示す第２閾値ΔＴ２がリモコン４０に入力されたか否かを判定する。
【００８４】
ユーザによるリモコン４０の操作によって、第１閾値ΔＴ１及び第２閾値ΔＴ２が入力された場合（Ｓ４０１：Ｙｅｓ）、制御部３０の処理はステップＳ４０２に進む。一方、第１閾値ΔＴ１及び第２閾値ΔＴ２が入力されていない場合（Ｓ４０１：Ｎｏ）、制御部３０の処理は「ＳＴＡＲＴ」に戻る（「ＲＥＴＵＲＮ」）。
【００８５】
ステップＳ４０２において制御部３０は、第１閾値ΔＴ１が第２閾値ΔＴ２よりも大きいか否かを判定する。前記したように、第１閾値ΔＴ１は、室内ファン１６の清掃を行うか否かの判定基準となる閾値（前回の清掃時からの空調運転の実行時間の積算値）である。一方、第２閾値ΔＴ１は、室内熱交換器１５の洗浄を行うか否かの判定基準となる閾値である。ステップＳ４０２において、第１閾値ΔＴ１が第２閾値ΔＴ２よりも大きい場合（Ｓ４０２：Ｙｅｓ）、制御部３０の処理はステップＳ４０３に進む。
【００８６】
ステップＳ４０３において制御部３０は、第１閾値ΔＴ１及び第２閾値ΔＴ２の設定変更を行う。これによって、室内ファン１６の清掃や室内熱交換器１５の洗浄の頻度を変更したいというユーザの意図を適切に反映できる。また、汚れやすい室内熱交換器１５の洗浄を室内ファン１６の清掃よりも高頻度で行うことができる。
【００８７】
一方、ステップＳ４０２において第１閾値ΔＴ１が第２閾値ΔＴ２以下である場合（Ｓ４０２：Ｎｏ）、制御部３０の処理はステップＳ４０４に進む。
ステップＳ４０４において制御部３０は、リモコン４０にエラー通知を出す。例えば、第１閾値ΔＴ１を第２閾値ΔＴ２よりも大きい値（長い時間）に設定してください、といった通知がリモコン４０に出される。これによって、室内熱交換器１５の洗浄を室内ファン１６の清掃よりも高頻度で行うようユーザに促すことができる。
【００８８】
ステップＳ４０４においてエラー通知を出した後、制御部３０の処理は「ＳＴＡＲＴ」に戻る（「ＲＥＴＵＲＮ」）。そして、前記したエラー通知に基づき、ΔＴ１＞ΔＴ２となるように第１閾値ΔＴ１及び第２閾値ΔＴ２がリモコン４０に新たに入力された場合（Ｓ４０２：Ｙｅｓ）、制御部３０は、その値で設定変更を行う（Ｓ４０３）。
【００８９】
＜効果＞
第４実施形態によれば、室内ファン１６の清掃の頻度を示す第１閾値ΔＴ１、及び、室内熱交換器１５の洗浄の頻度を示す第２閾値ΔＴ２を、リモコン４０の操作によって、ユーザが適宜に変更できる。また、第１閾値ΔＴ１が第２閾値ΔＴ２以下である場合には（図１２のＳ４０２：Ｎｏ）、制御部３０がリモコン４０にエラー通知を出す（Ｓ４０４）。これによって、汚れやすい室内熱交換器１５の洗浄を室内ファン１６の清掃よりも高頻度で行うようユーザに促すことができる。
【００９０】
≪第５実施形態≫
第５実施形態は、室内ファン１６の清掃や室内熱交換器１５の洗浄を、ユーザがリモコン４０の操作によってキャンセルできる点が、第１実施形態とは異なっている。なお、その他（空気調和機１００の構成：図１〜図４参照）については、第１実施形態と同様である。したがって、第１実施形態とは異なる部分について説明し、重複する部分については説明を省略する。
【００９１】
図１３は、室内ファン１６の清掃や室内熱交換器１５の洗浄のキャンセルに関する処理のフローチャートである（適宜、図２、図４を参照）。なお、図１３の「ＳＴＡＲＴ」時には、室内ファン１６の清掃がまだ開始されていないものとする。
ステップＳ５０１において制御部３０は、室内ファン１６の清掃のキャンセル指令をリモコン４０から受信したか否かを判定する。
【００９２】
室内ファン１６の清掃のキャンセル指令をリモコン４０から受信した場合（Ｓ５０１：Ｙｅｓ）、制御部３０の処理はステップＳ５０４に進む。
ステップＳ５０４において制御部３０は、室内熱交換器１５の凍結・解凍を行う。すなわち、ファン清掃部２４による室内ファン１６の清掃を開始する前に、リモコン４０から室内ファン１６の清掃のキャンセル指令を受信した場合（Ｓ５０１：Ｙｅｓ）、制御部３０は、室内ファン１６の清掃を行うことなく、室内熱交換器１５の凍結（又は結露）を行う（Ｓ５０４）。これによって、室内ファン１６の清掃をキャンセルしたいというユーザの意図を適切に反映させることができる。
【００９３】
一方、ステップＳ５０１において、室内ファン１６の清掃のキャンセル指令をリモコン４０から受信していない場合（Ｓ５０１：Ｎｏ）、制御部３０の処理はステップＳ５０２に進む。
ステップＳ５０２において制御部３０は、室内熱交換器１５の洗浄のキャンセル指令をリモコン４０から受信したか否かを判定する。室内熱交換器１５の洗浄のキャンセル指令をリモコン４０から受信した場合（Ｓ５０２：Ｙｅｓ）、制御部３０は、一連の処理を終了する（ＥＮＤ）。すなわち、ファン清掃部２４による室内ファン１６の清掃を開始する前に、リモコン４０から室内熱交換器１５の凍結のキャンセル指令を受信した場合（Ｓ５０２：Ｙｅｓ）、制御部３０は、室内熱交換器１５の凍結（又は結露）を行わずに、ファン清掃部２４による室内ファン１６の清掃もキャンセルする。
【００９４】
これによって、今回は室内熱交換器１５の洗浄をキャンセルしたいというユーザの意図を適切に反映させることができる。また、制御部３０が室内ファン１６の清掃もキャンセルすることで、室内ファン１６の清掃に伴う塵埃が室内熱交換器１５に新たに付着することを防止できる。
【００９５】
また、ステップＳ５０２において室内熱交換器１５の凍結・解凍のキャンセル指令がない場合（Ｓ５０２：Ｎｏ）、制御部３０の処理はステップＳ５０３に進む。この場合には、第１実施形態と同様に、室内ファン１６の清掃（Ｓ５０３）、及び、室内熱交換器１５の凍結・解凍（Ｓ５０４）が順次に行われる。
【００９６】
なお、図１３では省略しているが、ファン清掃部２４による室内ファン１６の清掃中に、リモコン４０から室内ファン１６の清掃のキャンセル指令が出される可能性もある。この場合には、リモコン４０から室内ファン１６の清掃のキャンセル指令を受信しても、制御部３０は、室内ファン１６の清掃を続行した後、室内熱交換器１５の凍結（又は結露）を行う。これによって、ユーザの意図に関わらず、室内ファン１６を清潔な状態にすることができる。また、室内ファン１６から掻き落とされて室内熱交換器１５に付着した塵埃を洗い流すことができる。
【００９７】
＜効果＞
第５実施形態によれば、室内ファン１６の清掃や室内熱交換器１５の洗浄をキャンセルしたいというユーザの意図を適切に反映できる。また、室内熱交換器１５の洗浄のキャンセル指令を受信した場合には（図１３のＳ５０２：Ｙｅｓ）、制御部３０が、室内熱交換器１５の洗浄の他に室内ファン１６の清掃もキャンセルする。これによって、室内ファン１６の清掃に伴う塵埃が室内熱交換器１５に新たに付着することを防止できる。
【００９８】
≪変形例≫
以上、本発明に係る空気調和機について各実施形態で説明したが、本発明はこれらの記載に限定されるものではなく、種々の変更を行うことができる。
例えば、第２実施形態では、空調運転（図７のＳ２０１）、送風運転（Ｓ２０２）、室内ファン１６の清掃（Ｓ２０３）、及び室内熱交換器１５の凍結・解凍（Ｓ２０４）を制御部３０が順次に行う処理について説明したが、これに限らない。すなわち、冷房運転、除湿運転、又は暖房運転の後、ファン清掃部２４による室内ファン１６の清掃を行う場合、制御部３０が、ファン清掃部２４による室内ファン１６の清掃に先立って、室内ファン１６を含む機器を所定時間停止させてもよい。このような処理によれば、空気の自然対流によって、室内ファン１６を乾燥させたり、室内ファン１６の温度を常温に近づけたりすることができる。
【００９９】
また、第２実施形態において、冷房運転等の空調運転の直後でなくても、室内ファン１６の清掃に先立って、制御部３０が送風運転等を行うようにしてもよい。すなわち、制御部３０が、ファン清掃部２４による室内ファン１６の清掃に先立って、送風運転を行うか、又は、室内ファン１６を含む機器を所定時間停止させてもよい。これによって、室内ファン１６の清掃を適切に行うことができる。
【０１００】
また、第４実施形態（図１２参照）では、室内ファン１６の清掃や室内熱交換器１５の洗浄の頻度がリモコン４０で変更される構成について説明したが、これに限らない。すなわち、リモコン４０に代えて（又はリモコン４０とともに）、スマートフォン、携帯電話、タブレット等の携帯端末（図示せず）の操作によって、前記した頻度が変更させるようにしてもよい。なお、第５実施形態（図１３参照）で説明した所定の「キャンセル指令」についても同様のことがいえる。
【０１０１】
また、第４実施形態では、空調運転の実行時間の積算値に基づいて、室内ファン１６の清掃の頻度や、室内熱交換器１５の洗浄の頻度を示す所定の閾値（Ｓ４０１の第１閾値ΔＴ１、第２閾値ΔＴ２：図１２参照）が設定される処理について説明したが、これに限らない。例えば、空調運転の実行時間の積算値に代えて、室内ファン１６の駆動時間の積算値を用いてもよい。
【０１０２】
室内ファン１６の清掃の頻度や、室内熱交換器１５の洗浄の頻度が、以下のように設定されてもよい。すなわち、制御部３０が、ファン清掃部２４による室内ファン１６の清掃を所定期間内に第１の回数行い、また、室内熱交換器１５の凍結（又は結露）を前記した所定期間内に、第１の回数よりも多い第２の回数行うようにしてもよい。そして、室内ファン１６の清掃を行うとともに、室内熱交換器１５の凍結（又は結露）も行う場合には、制御部３０が、ファン清掃部２４による室内ファン１６の清掃後、室内熱交換器１５を凍結（又は結露）させるようにしてもよい。このような処理でも、第４実施形態と同様の効果が奏される。
【０１０３】
また、リモコン４０（又は携帯端末）において、前記した第１の回数が第２の回数以上に設定された場合、リモコン４０（又は携帯端末）において所定のエラー通知がなされるようにしてもよい。これによって、汚れやすい室内熱交換器１５の洗浄を室内ファン１６の清掃よりも高頻度で行うようユーザに促すことができる。
【０１０４】
また、空気調和機１００の据付時からの経過時間を基準として、室内ファン１６の清掃や、室内熱交換器１５の洗浄が行われるようにしてもよい。
【０１０５】
また、第３実施形態（図１０参照）では、フィルタ２０ａ，２０ｂの清掃、室内ファン１６の清掃、及び、室内熱交換器１５を凍結が順次に行われる処理について説明したが、これに限らない。例えば、制御部３０が、室内ファン１６を駆動させながらフィルタ清掃部２８によるフィルタ２０ａ，２０ｂの清掃を行った場合、その次には、ファン清掃部２４による室内ファン１６の清掃を行わないようにしてもよい。これによって、空調運転の停止中に室内ファン１６が駆動される時間が短縮されるため、ユーザにとっての快適性を高めることができる。
【０１０６】
また、各実施形態において、制御部３０が、所定の時間帯には、ファン清掃部２４による室内ファン１６の清掃を行わず、室内熱交換器１５の凍結（又は結露）も行わないようにしてもよい。これによって、室内ファン１６や圧縮機１１の駆動音が所定の時間帯（例えば、夜間）には出されないため、ユーザにとっての快適性を高めることができる。
【０１０７】
また、各実施形態では、ファン清掃部２４による室内ファン１６の清掃中、制御部３０が室内ファン１６を逆回転させる例について説明したが、室内ファン１６を通常の空調運転時と同一の向きに正回転させてもよい。
【０１０８】
また、各実施形態では、室内ファン１６を清掃する際、制御部３０が、ファン清掃部２４の軸部２４ａを所定角度だけ回転させる構成について説明したが、これに限らない。例えば、軸部２４ａを適宜に平行移動させる構成であってもよい。
【０１０９】
また、第１実施形態では、室内ファン１６の清掃後、制御部３０が、すぐに室内熱交換器１５の凍結・解凍を行う例について説明したが、これに限らない。例えば、室内ファン１６の清掃後、制御部３０が、送風運転を所定時間行った後、室内熱交換器１５の凍結・解凍を行うようにしてもよい。また、室内ファン１６の清掃後、制御部３０が、室内ファン１６を含む各機器を所定時間停止させた後、室内熱交換器１５の凍結・解凍を行うようにしてもよい。また、室内ファン１６の清掃後、制御部３０が、所定の空調運転を行った後、室内熱交換器１５の凍結・解凍を行うようにしてもよい。これらの処理も、「ファン清掃部２４による室内ファン１６の清掃後、制御部３０が室内熱交換器１５を蒸発器として機能させ、室内熱交換器１５を凍結（又は結露）させる」という事項に含まれる。
【０１１０】
また、各実施形態では、室内ファン１６の清掃や室内熱交換器１５の洗浄の開始条件が予め設定されている場合について説明したが、これに限らない。すなわち、ユーザによるリモコン４０又は携帯端末（図示せず）の操作によって、制御部３０が、ファン清掃部２４による室内ファン１６の清掃を開始するようにしてもよい。
【０１１１】
また、例えば、ファン清掃部２４による室内ファン１６の清掃を行う旨の指令信号をリモコン４０又は携帯端末から受信した場合、制御部３０が、ファン清掃部２４による室内ファン１６の清掃後、室内熱交換器１５を凍結又は結露させるようにしてもよい。これによって、室内ファン１６の清掃に伴う塵埃が室内熱交換器１５に付着しても、その後の室内熱交換器１５の凍結等によって、前記した塵埃が洗い流される。
【０１１２】
また、各実施形態では、ファン清掃部２４がブラシ２４ｂを備える構成について説明したが、これに限らない。すなわち、室内ファン１６を清掃可能な部材であれば、スポンジ等を用いてもよい。
【０１１３】
また、各実施形態では、室内機Ｕｉ（図１参照）及び室外機Ｕｏ（同図参照）が一台ずつ設けられる構成について説明したが、これに限らない。すなわち、並列接続された複数台の室内機を設けてもよいし、また、並列接続された複数台の室外機を設けてもよい。
また、各実施形態では、壁掛型の空気調和機１００について説明したが、他の種類の空気調和機にも適用可能である。
【０１１４】
また、各実施形態は本発明を分かりやすく説明するために詳細に記載したものであり、必ずしも説明した全ての構成を備えるものに限定されない。また、各実施形態の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【０１１５】
１００  空気調和機
１１    圧縮機
１２    室外熱交換器
１３    室外ファン
１４    膨張弁
１５    室内熱交換器（熱交換器）
１６    室内ファン（ファン）
２０ａ，２０ｂ  フィルタ
２４    ファン清掃部
２８    フィルタ清掃部
３０    制御部
４０    リモコン
Ｑ      冷媒回路
【図１】
2019220488.tif 000003
【図２】
2019220488.tif 000004
【図３】
2019220488.tif 000005
【図４】
2019220488.tif 000006
【図５】
2019220488.tif 000007
【図６Ａ】
2019220488.tif 000008
【図６Ｂ】
2019220488.tif 000009
【図７】
2019220488.tif 000010
【図８】
2019220488.tif 000011
【図９】
2019220488.tif 000012
【図１０】
2019220488.tif 000013
【図１１】
2019220488.tif 000014
【図１２】
2019220488.tif 000015
【図１３】
2019220488.tif 000016
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
熱交換器と、
ファンと、
前記熱交換器と前記ファンとの間に配置され、前記ファンを清掃するファン清掃部と、
少なくとも前記ファン及び前記ファン清掃部を制御する制御部と、を備え、
前記制御部は、前記ファン清掃部による前記ファンの清掃後、前記熱交換器を蒸発器として機能させ、前記熱交換器を凍結又は結露させる空気調和機。
【請求項２】
前記ファン清掃部による前記ファンの清掃の継続時間は、前記熱交換器の凍結又は結露の継続時間よりも短いこと
を特徴とする請求項１に記載の空気調和機。
【請求項３】
前記制御部は、前記熱交換器の凍結後に当該熱交換器を解凍しているとき、又は、前記熱交換器を結露させているとき、前記ファンを停止状態にすること
を特徴とする請求項１に記載の空気調和機。
【請求項４】
前記制御部は、前記ファン清掃部による前記ファンの清掃に先立って、送風運転を行うか、又は、前記ファンを含む機器を所定時間停止させること
を特徴とする請求項１に記載の空気調和機。
【請求項５】
冷房運転、除湿運転、又は暖房運転の後、前記ファン清掃部による前記ファンの清掃を行う場合、前記制御部は、前記ファン清掃部による前記ファンの清掃に先立って、送風運転を行うか、又は、前記ファンを含む機器を所定時間停止させること
を特徴とする請求項４に記載の空気調和機。
【請求項６】
前記熱交換器に向かう空気から塵埃を捕集するフィルタと、
前記フィルタを清掃するフィルタ清掃部と、を備え、
前記制御部は、前記フィルタ清掃部による前記フィルタの清掃、及び、前記ファン清掃部による前記ファンの清掃を順次に行った後、前記熱交換器を凍結又は結露させること
を特徴とする請求項１に記載の空気調和機。
【請求項７】
前記制御部は、
前記ファンの前回の清掃からの空調運転の実行時間の積算値が第１閾値に達した場合、前記ファン清掃部によって前記ファンの清掃を再び行い、
前記熱交換器の前回の凍結又は結露からの空調運転の実行時間の積算値が、前記第１閾値よりも短い第２閾値に達した場合、前記熱交換器の凍結又は結露を再び行い、
前記ファンの清掃を行うとともに、前記熱交換器の凍結又は結露も行う場合には、前記ファン清掃部による前記ファンの清掃後、前記熱交換器を凍結又は結露させること
を特徴とする請求項１に記載の空気調和機。
【請求項８】
前記制御部は、
前記ファン清掃部による前記ファンの清掃を所定期間内に第１の回数行い、
前記熱交換器の凍結又は結露を前記所定期間内に、前記第１の回数よりも多い第２の回数行い、
前記ファンの清掃を行うとともに、前記熱交換器の凍結又は結露も行う場合には、前記ファン清掃部による前記ファンの清掃後、前記熱交換器を凍結又は結露させること
を特徴とする請求項１に記載の空気調和機。
【請求項９】
前記熱交換器に向かう空気から塵埃を捕集するフィルタと、
前記フィルタを清掃するフィルタ清掃部と、を備え、
前記制御部は、前記ファンを駆動させながら前記フィルタ清掃部による前記フィルタの清掃を行った場合、その次には、前記ファン清掃部による前記ファンの清掃を行わないこと
を特徴とする請求項１に記載の空気調和機。
【請求項１０】
前記制御部は、所定の時間帯には、前記ファン清掃部による前記ファンの清掃を行わず、前記熱交換器の凍結又は結露も行わないこと
を特徴とする請求項１から請求項９のいずれか一項に記載の空気調和機。
【手続補正２】
【補正対象書類名】明細書
【補正対象項目名】０００６
【補正方法】変更
【補正の内容】
【０００６】
前記課題を解決するために、本発明に係る空気調和機は、熱交換器と、ファンと、前記熱交換器と前記ファンとの間に配置され、前記ファンを清掃するファン清掃部と、少なくとも前記ファン及び前記ファン清掃部を制御する制御部と、を備え、前記制御部は、前記ファン清掃部による前記ファンの清掃後、前記熱交換器を蒸発器として機能させ、前記熱交換器を凍結又は結露させることを特徴とする。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
熱交換器と、
前記熱交換器の下側に配置された露受皿と、
ファンと、
前記露受皿よりも高い位置であって、前記熱交換器と前記ファンとの間に配置され、前記ファンを清掃するファン清掃部と、
少なくとも前記ファン及び前記ファン清掃部を制御する制御部と、を備え、
前記制御部は、前記ファン清掃部による前記ファンの清掃後、前記熱交換器を蒸発器として機能させ、前記熱交換器を凍結又は結露させる空気調和機。
【請求項２】
前記ファン清掃部による前記ファンの清掃の継続時間は、前記熱交換器の凍結又は結露の継続時間よりも短いこと
を特徴とする請求項１に記載の空気調和機。
【請求項３】
前記制御部は、前記熱交換器の凍結後に当該熱交換器を解凍しているとき、又は、前記熱交換器を結露させているとき、前記ファンを停止状態にすること
を特徴とする請求項１に記載の空気調和機。
【請求項４】
前記制御部は、前記ファン清掃部による前記ファンの清掃に先立って、送風運転を行うか、又は、前記ファンを含む機器を所定時間停止させること
を特徴とする請求項１に記載の空気調和機。
【請求項５】
冷房運転、除湿運転、又は暖房運転の後、前記ファン清掃部による前記ファンの清掃を行う場合、前記制御部は、前記ファン清掃部による前記ファンの清掃に先立って、送風運転を行うか、又は、前記ファンを含む機器を所定時間停止させること
を特徴とする請求項４に記載の空気調和機。
【請求項６】
前記熱交換器に向かう空気から塵埃を捕集するフィルタと、
前記フィルタを清掃するフィルタ清掃部と、を備え、
前記制御部は、前記フィルタ清掃部による前記フィルタの清掃、及び、前記ファン清掃部による前記ファンの清掃を順次に行った後、前記熱交換器を凍結又は結露させること
を特徴とする請求項１に記載の空気調和機。
【請求項７】
前記制御部は、
前記ファンの前回の清掃からの空調運転の実行時間の積算値が第１閾値に達した場合、前記ファン清掃部によって前記ファンの清掃を再び行い、
前記熱交換器の前回の凍結又は結露からの空調運転の実行時間の積算値が、前記第１閾値よりも短い第２閾値に達した場合、前記熱交換器の凍結又は結露を再び行い、
前記ファンの清掃を行うとともに、前記熱交換器の凍結又は結露も行う場合には、前記ファン清掃部による前記ファンの清掃後、前記熱交換器を凍結又は結露させること
を特徴とする請求項１に記載の空気調和機。
【請求項８】
前記制御部は、
前記ファン清掃部による前記ファンの清掃を所定期間内に第１の回数行い、
前記熱交換器の凍結又は結露を前記所定期間内に、前記第１の回数よりも多い第２の回数行い、
前記ファンの清掃を行うとともに、前記熱交換器の凍結又は結露も行う場合には、前記ファン清掃部による前記ファンの清掃後、前記熱交換器を凍結又は結露させること
を特徴とする請求項１に記載の空気調和機。
【請求項９】
前記熱交換器に向かう空気から塵埃を捕集するフィルタと、
前記フィルタを清掃するフィルタ清掃部と、を備え、
前記制御部は、前記ファンを駆動させながら前記フィルタ清掃部による前記フィルタの清掃を行った場合、その次には、前記ファン清掃部による前記ファンの清掃を行わないこと
を特徴とする請求項１に記載の空気調和機。
【請求項１０】
前記制御部は、所定の時間帯には、前記ファン清掃部による前記ファンの清掃を行わず、前記熱交換器の凍結又は結露も行わないこと
を特徴とする請求項１から請求項９のいずれか一項に記載の空気調和機。
【手続補正２】
【補正対象書類名】明細書
【補正対象項目名】０００６
【補正方法】変更
【補正の内容】
【０００６】
前記課題を解決するために、本発明に係る空気調和機は、熱交換器と、前記熱交換器の下側に配置された露受皿と、ファンと、前記露受皿よりも高い位置であって、前記熱交換器と前記ファンとの間に配置され、前記ファンを清掃するファン清掃部と、少なくとも前記ファン及び前記ファン清掃部を制御する制御部と、を備え、前記制御部は、前記ファン清掃部による前記ファンの清掃後、前記熱交換器を蒸発器として機能させ、前記熱交換器を凍結又は結露させることを特徴とする。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
熱交換器と、
空気の吸込側・吹出側を仕切るように、前記熱交換器の下側に配置された露受皿と、
ファンと、
前記露受皿よりも高い位置であって、前記露受皿に対して前記吸込側に配置されるとともに、前記熱交換器と前記ファンとの間に配置され、前記ファンを清掃するファン清掃部と、
少なくとも前記ファン及び前記ファン清掃部を制御する制御部と、を備え、
前記制御部は、前記ファン清掃部による前記ファンの清掃後、前記熱交換器を蒸発器として機能させ、前記熱交換器を凍結又は結露させる空気調和機。
【請求項２】
前記ファン清掃部による前記ファンの清掃の継続時間は、前記熱交換器の凍結又は結露の継続時間よりも短いこと
を特徴とする請求項１に記載の空気調和機。
【請求項３】
前記制御部は、前記熱交換器の凍結後に当該熱交換器を解凍しているとき、又は、前記熱交換器を結露させているとき、前記ファンを停止状態にすること
を特徴とする請求項１に記載の空気調和機。
【請求項４】
前記制御部は、前記ファン清掃部による前記ファンの清掃に先立って、送風運転を行うか、又は、前記ファンを含む機器を所定時間停止させること
を特徴とする請求項１に記載の空気調和機。
【請求項５】
冷房運転、除湿運転、又は暖房運転の後、前記ファン清掃部による前記ファンの清掃を行う場合、前記制御部は、前記ファン清掃部による前記ファンの清掃に先立って、送風運転を行うか、又は、前記ファンを含む機器を所定時間停止させること
を特徴とする請求項４に記載の空気調和機。
【請求項６】
前記熱交換器に向かう空気から塵埃を捕集するフィルタと、
前記フィルタを清掃するフィルタ清掃部と、を備え、
前記制御部は、前記フィルタ清掃部による前記フィルタの清掃、及び、前記ファン清掃部による前記ファンの清掃を順次に行った後、前記熱交換器を凍結又は結露させること
を特徴とする請求項１に記載の空気調和機。
【請求項７】
前記制御部は、
前記ファンの前回の清掃からの空調運転の実行時間の積算値が第１閾値に達した場合、前記ファン清掃部によって前記ファンの清掃を再び行い、
前記熱交換器の前回の凍結又は結露からの空調運転の実行時間の積算値が、前記第１閾値よりも短い第２閾値に達した場合、前記熱交換器の凍結又は結露を再び行い、
前記ファンの清掃を行うとともに、前記熱交換器の凍結又は結露も行う場合には、前記ファン清掃部による前記ファンの清掃後、前記熱交換器を凍結又は結露させること
を特徴とする請求項１に記載の空気調和機。
【請求項８】
前記制御部は、
前記ファン清掃部による前記ファンの清掃を所定期間内に第１の回数行い、
前記熱交換器の凍結又は結露を前記所定期間内に、前記第１の回数よりも多い第２の回数行い、
前記ファンの清掃を行うとともに、前記熱交換器の凍結又は結露も行う場合には、前記ファン清掃部による前記ファンの清掃後、前記熱交換器を凍結又は結露させること
を特徴とする請求項１に記載の空気調和機。
【請求項９】
前記熱交換器に向かう空気から塵埃を捕集するフィルタと、
前記フィルタを清掃するフィルタ清掃部と、を備え、
前記制御部は、前記ファンを駆動させながら前記フィルタ清掃部による前記フィルタの清掃を行った場合、その次には、前記ファン清掃部による前記ファンの清掃を行わないこと
を特徴とする請求項１に記載の空気調和機。
【請求項１０】
前記制御部は、所定の時間帯には、前記ファン清掃部による前記ファンの清掃を行わず、前記熱交換器の凍結又は結露も行わないこと
を特徴とする請求項１から請求項９のいずれか一項に記載の空気調和機。
【手続補正２】
【補正対象書類名】明細書
【補正対象項目名】０００６
【補正方法】変更
【補正の内容】
【０００６】
前記課題を解決するために、本発明に係る空気調和機は、熱交換器と、空気の吸込側・吹出側を仕切るように、前記熱交換器の下側に配置された露受皿と、ファンと、前記露受皿よりも高い位置であって、前記露受皿に対して前記吸込側に配置されるとともに、前記熱交換器と前記ファンとの間に配置され、前記ファンを清掃するファン清掃部と、少なくとも前記ファン及び前記ファン清掃部を制御する制御部と、を備え、前記制御部は、前記ファン清掃部による前記ファンの清掃後、前記熱交換器を蒸発器として機能させ、前記熱交換器を凍結又は結露させることを特徴とする。
【国際調査報告】
2019220488.tif 000017
2019220488.tif 000018
2019220488.tif 000019
2019220488.tif 000020
2019220488.tif 000021